(57)【要約】【課題】施工時に誤って異なる大きさのスペーサーブロックを用いたり、高さ方向を間違えて配列することを防止することができるスペーサーブロックを提供すること。【解決手段】コンクリート材を直方体の形状にプレスして成型し、コンクリートの打設時に鉄筋を所定の高さに保持するスペーサーブロックであって、前記直方体の一つの面に、前記直方体の一片の長さを表す表示を、溝によって構成したことを特徴とするスペーサーブロック。【選択図】        図１
2004308252.tif 000002
【特許請求の範囲】
【請求項１】
コンクリート材を直方体の形状にプレスして成型し、コンクリートの打設時に鉄筋を所定の高さに保持するスペーサーブロックであって、前記直方体の一つの面に、前記直方体の一片の長さを表す表示を、溝によって構成したことを特徴とするスペーサーブロック。
【請求項２】
前記溝を、前記直方体の表示を施す面に対して、９０度よりも小さな角度の傾斜面によって形成したことを特徴とする請求項１に記載のスペーサーブロック。
【請求項３】
前記溝を、２つの傾斜面によって形成したことを特徴とする請求項２に記載のスペーサーブロック。
【請求項４】
前記コンクリート材として５ｍｍ以下の骨材を用い、前記直方体の辺から３ｍｍ以上離れた位置に前記溝を形成することを特徴とする請求項１に記載のスペーサーブロック。
【請求項５】
前記コンクリート材として５ｍｍ以下の骨材を用い、前記溝によって囲まれる凸部の一方向の寸法を５ｍｍ以上としたことを特徴とする請求項１に記載のスペーサーブロック。
【請求項６】
前記コンクリート材として５ｍｍ以下の骨材を用い、平行に配置される２つの前記溝の間の寸法を５ｍｍ以上としたことを特徴とする請求項１に記載のスペーサーブロック。
【請求項７】
前記直方体の一つの面であって、一方の辺と他方の辺の長さが異なる面に、一方の前記辺の長さを表す第１の表示と他方の前記辺の長さを表す第２の表示を設け、前記第１の表示を一方の前記辺の近傍であって一方の前記辺の略中央に配置し、前記第２の表示を他方の前記辺の近傍であって他方の前記辺の略中央に配置したことを特徴とする請求項１に記載のスペーサーブロック。
【請求項８】
前記溝に代えて塗料によって表示したことを特徴とする請求項１又は請求項７に記載のスペーサーブロック。
【請求項９】
前記表示として数字を用い、直交する二方向の溝によって前記数字を構成したことを特徴とする請求項１から請求項７のいずれかに記載のスペーサーブロック。
【請求項１０】
前記骨材として、５ｍｍ〜２．５ｍｍの砕石と５ｍｍ以下の砂を用いたことを特徴とする請求項４から請求項６のいずれかに記載のスペーサーブロック。
【発明の詳細な説明】
【０００１】
【発明の属する技術分野】
本発明は、コンクリート材を直方体の形状にプレスし、コンクリートの打設時に鉄筋を所定の高さに保持するスペーサーブロックに関する。
【０００２】
【従来の技術】
従来から、コンクリート表面から鉄筋までのかぶりを保持するために、コンクリート製のスペーサーブロックが用いられている。
なお、用途は異なるが、鉄筋スペーサーとして、適合する鉄筋の外径数値をスペーサーに表示するものがある（例えば特許文献１）。
【０００３】
【特許文献１】
特開平１１−２８０２０７号公報
【０００４】
【発明が解決しようとする課題】
しかしながら、現在用いられているスペーサーブロックとしては、例えば６０ｍｍ×６０ｍｍ×６０ｍｍの立方体や５０ｍｍ×６０ｍｍ×６０ｍｍの直方体が存在する。従って、これらを見分けること、あるいは適切な方向に配設することは必ずしも容易ではない。
また、スペーサーブロックの配設後、コンクリート打設前に適切なかぶり厚さが保たれるよう、適切なスペーサーが取り付けられているかを検査する必要があり、検査時には検査員がかぶり厚さの寸法を個別に定規で測らないと判らないため検査作業が煩雑であった。
【０００５】
そこで、本発明は、施工時に誤って異なる大きさのスペーサーブロックを用いたり、高さ方向を間違えて配列することを防止することができるスペーサーブロックを提供することを目的とする。
また、本発明は、施工現場の確認用の写真撮影する場合にスケールをスペーサーブロックにあてがって撮影する必要がないスペーサーブロックを提供することを目的とする。
【０００６】
【課題を解決するための手段】
請求項１記載の本発明のスペーサーブロックは、コンクリート材を直方体の形状にプレスして成型し、コンクリートの打設時に鉄筋を所定の高さに保持するスペーサーブロックであって、前記直方体の一つの面に、前記直方体の一片の長さを表す表示を、溝によって構成したことを特徴とする。
請求項２記載の本発明は、請求項１に記載のスペーサーブロックにおいて、前記溝を、前記直方体の表示を施す面に対して、９０度よりも小さな角度の傾斜面によって形成したことを特徴とする。
請求項３記載の本発明は、請求項２に記載のスペーサーブロックにおいて、前記溝を、２つの傾斜面によって形成したことを特徴とする。
請求項４記載の本発明は、請求項１に記載のスペーサーブロックにおいて、前記コンクリート材として５ｍｍ以下の骨材を用い、前記直方体の辺から３ｍｍ以上離れた位置に前記溝を形成することを特徴とする。
請求項５記載の本発明は、請求項１に記載のスペーサーブロックにおいて、前記コンクリート材として５ｍｍ以下の骨材を用い、前記溝によって囲まれる凸部の一方向の寸法を５ｍｍ以上としたことを特徴とする。
請求項６記載の本発明は、請求項１に記載のスペーサーブロックにおいて、前記コンクリート材として５ｍｍ以下の骨材を用い、平行に配置される２つの前記溝の間の寸法を５ｍｍ以上としたことを特徴とする。
請求項７記載の本発明は、請求項１に記載のスペーサーブロックにおいて、前記直方体の一つの面であって、一方の辺と他方の辺の長さが異なる面に、一方の前記辺の長さを表す第１の表示と他方の前記辺の長さを表す第２の表示を設け、前記第１の表示を一方の前記辺の近傍であって一方の前記辺の略中央に配置し、前記第２の表示を他方の前記辺の近傍であって他方の前記辺の略中央に配置したことを特徴とする。
請求項８記載の本発明は、請求項１又は請求項７に記載のスペーサーブロックにおいて、前記溝に代えて塗料によって表示したことを特徴とする。
請求項９記載の本発明は、請求項１から請求項７のいずれかに記載のスペーサーブロックにおいて、前記表示として数字を用い、直交する二方向の溝によって前記数字を構成したことを特徴とする。
請求項１０記載の本発明は、請求項４から請求項６のいずれかに記載のスペーサーブロックにおいて、前記骨材として、５ｍｍ〜２．５ｍｍの砕石と５ｍｍ以下の砂を用いたことを特徴とする。
【０００７】
【発明の実施の形態】
本発明の第１の実施の形態によるスペーサーブロックは、直方体の一つの面に、直方体の一片の長さを表す表示を溝によって構成したものである。本実施の形態によれば、直方体の一片の長さを表す表示を設けることで、施工時に誤って異なる大きさのスペーサーブロックを用いたり、高さ方向を間違えて配列することを防止することができる。また、施工現場の確認用の写真撮影する場合にも、表示を撮影することで、従来のようにスケールをスペーサーブロックにあてがって撮影する必要がなくなる。更に、表示を溝によって構成することで、表示を施した面で鉄筋を支持する場合にも、例えば凸部と比較して鉄筋の載置に支障をきたすこともなく、また鉄筋によって損傷することも殆どなく、表示を確実に行うことができる。またスペーサーブロックの製造時にプレスによって形成することが可能となる。
本発明の第２の実施の形態は、第１の実施の形態によるスペーサーブロックにおいて、溝を、直方体の表示を施す面に対して９０度よりも小さな角度の傾斜面によって形成したものである。本実施の形態によれば、例えばプレス成型時に型材に骨材が付着することで溝形状が損なわれることを防止することができる。
本発明の第３の実施の形態は、第１の実施の形態によるスペーサーブロックにおいて、溝を、２つの傾斜面によって形成したものである。本実施の形態によれば、２つの傾斜面によって断面がＶ字状となるために、成型が容易で骨材が型材に付着することを効果的に防止することができる。
本発明の第４の実施の形態は、第１の実施の形態によるスペーサーブロックにおいて、コンクリート材として５ｍｍ以下の骨材を用い、直方体の辺から３ｍｍ以上離れた位置に溝を形成するものである。本実施の形態によれば、直方体の辺が欠けることを防止することができる。
本発明の第５の実施の形態は、第１の実施の形態によるスペーサーブロックにおいて、コンクリート材として５ｍｍ以下の骨材を用い、溝によって囲まれる凸部の一方向の寸法を５ｍｍ以上としたものである。本実施の形態によれば、溝によって囲まれる形状によって表示が行われる場合であっても、この凸部が破損することを防止でき、正確な表示を維持することができる。
本発明の第６の実施の形態は、第１の実施の形態によるスペーサーブロックにおいて、コンクリート材として５ｍｍ以下の骨材を用い、平行に配置される２つの溝の間の寸法を５ｍｍ以上としたものである。本実施の形態によれば、溝間の破損を防止でき、正確な表示を維持することができる。
本発明の第７の実施の形態は、直方体の一つの面であって、一方の辺と他方の辺の長さが異なる面に、一方の辺の長さを表す第１の表示と他方の辺の長さを表す第２の表示を設け、第１の表示を一方の辺の近傍であって一方の辺の略中央に配置し、第２の表示を他方の辺の近傍であって他方の辺の略中央に配置したものである。本実施の形態によれば、長さの異なる辺であっても、それぞれの辺の長さを正しく認識することができる。
本発明の第８の実施の形態は、第１から第７の実施の形態によるスペーサーブロックにおいて、溝に代えて塗料によって表示したものである。本実施の形態によれば、直方体の一片の長さを表す表示を設けることで、施工時に誤って異なる大きさのスペーサーブロックを用いたり、高さ方向を間違えて配列することを防止することができる。また、施工現場の確認用の写真撮影する場合にも、表示を撮影することで、従来のようにスケールをスペーサーブロックにあてがって撮影する必要がなくなる。更に、溝と同様に鉄筋の載置に支障をきたすことなく、表示を行うことができる。
本発明の第９の実施の形態は、第１から第７の実施の形態によるスペーサーブロックにおいて、表示として数字を用い、直交する二方向の溝によって数字を構成したものである。本実施の形態によれば、表示を正しく認識できるとともに、表示の破損を防止することができる。
本発明の第１０の実施の形態は、第４から第６の実施の形態によるスペーサーブロックにおいて、骨材として、５ｍｍ〜２．５ｍｍの砕石と５ｍｍ以下の砂を用いたものである。本実施の形態によれば、表示の破損を防止することができる。
【０００８】
【実施例】
以下、本発明のスペーサーブロックについて、図面を参照しながら説明する。
図１は本発明の一実施例によるスペーサーブロックを示す斜視図、図２は同スペーサーブロックの要部平面図、図３は図２におけるＩＩＩ−ＩＩＩ断面図である。
本実施例のスペーサーブロックは、コンクリート材を直方体の形状にプレスして成型される。コンクリート材として５ｍｍ以下の骨材を用い、骨材として５ｍｍ〜２．５ｍｍの砕石と５ｍｍ以下の砂を用いている。なお、他の実施例におけるスペーサーブロックについても同様である。
本実施例では、５０ｍｍ×６０ｍｍ×６０ｍｍの直方体からなるスペーサーブロックを示している。
直方体を構成する一つの面１０に、「６」というアラビア数字からなる第１の表示２０と、「５」というアラビア数字からなる第２の表示２０とを設けている。第１の表示２０は、面１０を構成する一方の辺１１の長さを表し、第２の表示３０は、面１０を構成する他方の辺１２の長さを表している。第１の表示２０は、一方の辺１１の近傍であって一方の辺１１の略中央に配置し、第２の表示３０は、他方の辺１２の近傍であって他方の辺１２の略中央に配置している。また、第１の表示２０は、一方の辺１１を下部とした方向に数字を表し、第２の表示３０は、他方の辺１２を下部とした方向に数字を表している。従って、第１の表示２０と第２の表示３０とは、９０度異なる方向に表示している。
【０００９】
ここで、第１の表示２０は、平行な溝２１、２２、２３と、これら溝２１、２２、２３と直交する方向の溝２４、２５より構成している。溝２１と溝２２、溝２２と溝２３との間隔ｂは５ｍｍの寸法を設けている。ここで、平行な溝の間隔ｂは５ｍｍ以上とすることが好ましい。一方の辺１１に最も近接した位置となる溝２３と一方の辺１１との間には、３ｍｍの寸法ａを設けている。ここで、一方の辺１１に最も近接した位置となる溝２３と一方の辺１１との間の寸法ａは、３ｍｍ以上とすることが好ましい。溝２２、溝２３、溝２４及び溝２５によって囲まれる凸部２６は、一方向の寸法ｂを５ｍｍ、他方の寸法を４ｍｍとしている。このように４つの溝によって囲まれる凸部は、少なくても一方向の寸法を５ｍｍ以上、他方の寸法を３ｍｍ以上とすることが好ましい。
第１の表示２０を構成するそれぞれの溝２１、２２、２３、２４、２５は、２つの傾斜面によって、溝幅３ｍｍ、溝深さ１．５ｍｍで、断面が「Ｖ」字状となるように形成されている。それぞれの傾斜面は、表示を施す面１０に対して、４５度の角度となるように形成している。なお、これらの溝２１、２２、２３、２４、２５は、直方体の表示を施す面１０に対して、９０度よりも小さな角度の傾斜面によって形成することが好ましい。また、溝幅は３ｍｍ以上とすることが好ましい。
【００１０】
一方、第２の表示３０は、平行な溝３１、３２、３３と、これら溝３１、３２、３３と直交する方向の溝３４、３５より構成している。溝３１と溝３２、溝３２と溝３３との間隔ｂは５ｍｍの寸法を設けている。ここで、平行な溝の間隔ｂは５ｍｍ以上とすることが好ましい。一方の辺１２に最も近接した位置となる溝３３と一方の辺１２との間には、３ｍｍの寸法ａを設けている。ここで、一方の辺１２に最も近接した位置となる溝３３と一方の辺１２との間の寸法ａは、３ｍｍ以上とすることが好ましい。
第２の表示３０を構成するそれぞれの溝３１、３２、３３、３４、３５は、２つの傾斜面によって、溝幅３ｍｍ、溝深さ１．５ｍｍで、断面が「Ｖ」字状となるように形成されている。それぞれの傾斜面は、表示を施す面１０に対して、４５度の角度となるように形成している。なお、これらの溝３１、３２、３３、３４、３５は、直方体の表示を施す面１０に対して、９０度よりも小さな角度の傾斜面によって形成することが好ましい。また、溝幅は３ｍｍ以上とすることが好ましい。
また、第１の表示２０と第２の表示３０との間隔ａは、３ｍｍ以上とすることが好ましい。図示の場合には、溝２１と溝３１とが最も近接するため、溝２１と溝３１との最短距離を３ｍｍ以上の寸法ａとしている。なお、複数の表示間の間隔は、５ｍｍ以上とすることがより好ましい。
【００１１】
図４は本発明の他の実施例によるスペーサーブロックの要部平面図、図５は図４におけるＶ−Ｖ断面図である。
本実施例では、７０ｍｍ×１００ｍｍ×７０ｍｍの直方体からなるスペーサーブロックを示している。
直方体を構成する一つの面１０Ａに、「１０」というアラビア数字からなる第１の表示４０と、「７」というアラビア数字からなる第２の表示５０とを設けている。第１の表示４０は、面１０Ａを構成する一方の辺１１Ａの長さを表し、第２の表示５０は、面１０Ａを構成する他方の辺１２Ａの長さを表している。第１の表示４０は、一方の辺１１Ａの近傍であって一方の辺１１Ａの略中央に配置し、第２の表示５０は、他方の辺１２Ａの近傍であって他方の辺１２Ａの略中央に配置している。また、第１の表示４０は、一方の辺１１Ａを下部とした方向に数字を表し、第２の表示５０は、他方の辺１２Ａを下部とした方向に数字を表している。従って、第１の表示４０と第２の表示５０とは、９０度異なる方向に表示している。
【００１２】
ここで、第１の表示４０は、平行な溝４１、４２と、これら溝４１、４２と直交する方向の溝４３、４４、４５より構成している。溝４１と溝４２との間隔は１５ｍｍの寸法を設けている。一方の辺１１Ａに最も近接した位置となる溝４２、４３と一方の辺１１Ａとの間には、それぞれ３ｍｍの寸法ａを設けている。ここで、一方の辺１１Ａに最も近接した位置となる溝４２、４３と一方の辺１１Ａとの間の寸法ａは、３ｍｍ以上とすることが好ましい。溝４１、溝４２、溝４４及び溝４５によって囲まれる凸部２６は、一方向の寸法ｂを５ｍｍ、他方の寸法を１５ｍｍとしている。このように４つの溝によって囲まれる凸部は、少なくても一方向の寸法を５ｍｍ以上、他方の寸法を３ｍｍ以上とすることが好ましい。
第１の表示４０を構成するそれぞれの溝４１、４２、４３、４４、４５は、２つの傾斜面によって、溝幅３ｍｍ、溝深さ１．５ｍｍで、断面が「Ｖ」字状となるように形成されている。それぞれの傾斜面は、表示を施す面１０Ａに対して、４５度の角度となるように形成している。なお、これらの溝４１、４２、４３、４４、４５は、直方体の表示を施す面１０Ａに対して、９０度よりも小さな角度の傾斜面によって形成することが好ましい。また、溝幅は３ｍｍ以上とすることが好ましい。
【００１３】
一方、第２の表示５０は、溝５１と、この溝５１と直交する方向の溝５２、５３より構成している。溝５２と溝５３との間隔ｂは５ｍｍの寸法を設けている。ここで、平行な溝の間隔ｂは５ｍｍ以上とすることが好ましい。一方の辺１２Ａに最も近接した位置となる溝５３と一方の辺１２Ａとの間には、３ｍｍの寸法ａを設けている。ここで、一方の辺１２Ａに最も近接した位置となる溝５３と一方の辺１２Ａとの間の寸法ａは、３ｍｍ以上とすることが好ましい。
第２の表示５０を構成するそれぞれの溝５１、５２、５３は、２つの傾斜面によって、溝幅３ｍｍ、溝深さ１．５ｍｍで、断面が「Ｖ」字状となるように形成されている。それぞれの傾斜面は、表示を施す面１０Ａに対して、４５度の角度となるように形成している。なお、これらの溝５１、５２、５３は、直方体の表示を施す面１０Ａに対して、９０度よりも小さな角度の傾斜面によって形成することが好ましい。また、溝幅は３ｍｍ以上とすることが好ましい。
また、第１の表示４０と第２の表示５０との間隔ａは、３ｍｍ以上とすることが好ましい。
【００１４】
図６は本発明の更に他の実施例によるスペーサーブロックの平面図、図７は更に他の実施例によるスペーサーブロックの平面図である。
図６に示す実施例では、６０ｍｍ×６０ｍｍ×６０ｍｍの直方体からなるスペーサーブロックを、図７に示す実施例では、７０ｍｍ×７０ｍｍ×７０ｍｍの直方体からなるスペーサーブロックを示している。
図６に示す実施例においては、直方体を構成する一つの面１０Ｂに、「６」というアラビア数字からなる第１の表示６０Ａと、「Ｃ」という英文字からなる第２の表示６０Ｂとを設けている。第１の表示６０Ａは、立方体を構成する辺の長さを表し、第２の表示６０Ｂは、縦、横、高さの寸法が全て同じであることを表している。図７に示す実施例においては、立方体の各辺の長さが７０ｍｍであるので、第１の表示７０Ａとして「７」というアラビア数字を用い、第２の表示７０Ｂとして「Ｃ」という英文字を用いている。
なお、図６に示す第１の表示６０Ａは、図１から図３に示す第１の表示２０と同じ構成及び寸法としている。また、第１の表示６０Ａと第２の表示６０Ｂとの配置関係や、第２の表示６０Ｂの溝間寸法は、既に説明した条件のもとで構成している。なお、図６及び図７に示す実施例では、それぞれの表示を、面１０Ｂ、１０Ｃの略中央に設けている。
【００１５】
次に、上記実施例で説明したスペーサーブロックの施工状態について説明する。
図８は、本発明の実施例によるスペーサーブロックの施工状態を示す鉄筋コンクリート構造の建築物の要部断面図である。
図示のように、スペーサーブロック１は、基礎面８１や床面８２上に、所定間隔毎に配置され、コンクリート８３の打設時に、鉄筋８４を基礎面８１や床面８２から、所定の高さに保持するために用いられる。
すなわち、スペーサーブロック１は、基礎面８１や床面８２から鉄筋８４のかぶりを正しく保持するために用いられる。
例えば図１から図３に示すスペーサーブロック１を用いて、高さ寸法を６０ｍｍとする場合には、スペーサーブロック１の表示を施した面１１を上面となるように、又は辺１１を垂直な方向となるように配置して用いる。
【００１６】
このように、本実施例によれば、スペーサーブロック１に表示が施してあるので、異なる形状のスペーサーブロックを間違えて使用することもなく、また施工状況の確認のための撮影時においても、これらの表示が写るように撮影することで、スケールなどをあてがって撮影する不便さも解消される。
なお、本実施例では、溝によって表示を構成したが、塗料やインクによって表示しても、施工時に誤って異なる大きさのスペーサーブロックを用いたり、高さ方向を間違えて配列することを防止することができる。また、施工現場の確認用の写真撮影する場合にも、表示を撮影することで、従来のようにスケールをスペーサーブロックにあてがって撮影する必要がなくなる。更に、溝と同様に鉄筋の載置に支障をきたすことなく、表示を行うことができる。
また、本実施例では、表示を一つの面に施した場合を説明したが、第１の表示と第２の表示を異なる面に設けてもよく、また、一つの面に施した表示と同じ表示を他の面に施してもよい。
また、本実施例では、アラビア数字を用いて説明したが、ローマ数字などの他の数字、その他文字や記号を用いてもよい。
また、本実施例では、数字を、長さを表す辺を下部となるように設けたが、長さを表す辺を上部となるように設けてもよく、また、長さを表す辺を側部となるように設けてもよい。
また、本実施例では説明を省略したが、２つの溝が交わる角には、図に示すようにそれぞれの溝に対して４５度の溝を設けるか、又は曲面によって連接することで、溝の欠けを防止することができる。
また、本実施例のように、表示を溝によって形成することで、コンクリート材を直方体の形状にプレスして成型する時に、表示を同時に形成することができる。特に、上記実施例で説明したように、溝を傾斜面によって構成することで、プレス成型時に型材に骨材が付着するために、溝形状が損なわれることを防止することができる。
【００１７】
【発明の効果】
以上のように本発明によれば、施工時に誤って異なる大きさのスペーサーブロックを用いたり、高さ方向を間違えて配列することを防止することができる。
【図面の簡単な説明】
【図１】本発明の一実施例によるスペーサーブロックを示す斜視図
【図２】同スペーサーブロックの要部平面図
【図３】図２におけるＩＩＩ−ＩＩＩ断面図
【図４】本発明の他の実施例によるスペーサーブロックの要部平面図
【図５】図４におけるＶ−Ｖ断面図
【図６】本発明の更に他の実施例によるスペーサーブロックの平面図
【図７】更に他の実施例によるスペーサーブロックの平面図
【図８】本発明の実施例によるスペーサーブロックの施工状態を示す鉄筋コンクリート構造の建築物の要部断面図
【符号の説明】
１    スペーサーブロック
１０    面
１１    一方の辺
１２    他方の辺
２０    第１の表示
３０    第２の表示
４０    第１の表示
５０    第２の表示
【図１】
2004308252.tif 000003
【図２】
2004308252.tif 000004
【図３】
2004308252.tif 000005
【図４】
2004308252.tif 000006
【図５】
2004308252.tif 000007
【図６】
2004308252.tif 000008
【図７】
2004308252.tif 000009
【図８】
2004308252.tif 000010